(57)【要約】【課題】ロッド棒を移動する操作がやり易い落し錠とする。【解決手段】ベース１に移動自在に設けた落し棒１０とロック装置２０を備え、前記ロック装置２０は落し棒１０に取付けた連動部材２１と、ロック部材２２と、操作つまみ２３を有し、この操作つまみ２３とロック部材２２は円錐ばね３０で、そのロック部材２２の係止部２２ａがベース１のロック部材係止部４に係止したロック位置に保持し、この操作つまみ２３を円錐ばね３０に抗して移動することでロック部材２２の係止部２２ａがロック部材係止部４から離れた非ロック位置に移動し、そのままの状態で操作つまみ２３を落し棒１０の移動方向に移動することで落し棒１０を移動できるようにした落し錠。【選択図】      図２
2004190448.tif 000002
【特許請求の範囲】
【請求項１】
ベース１と、このベース１に沿って移動する落し棒１０と、この落し棒１０をロック、ロック解除すると共に、移動するロック装置２０を備え、
このロック装置２０は、落し棒１０に取付けた連動部材２１と、この連動部材２１に、落し棒１０の移動方向とほぼ直角方向にロック位置と非ロック位置に移動自在に設けたロック部材２２と、このロック部材２２に連結した操作つまみ２３を有し、
この操作つまみ２３を落し棒１０の移動方向とほぼ直角方向に移動することでロック部材２２がロック位置又は非ロック位置となることを特徴とする落し錠。
【請求項２】
ベース１はロック部材係止部４を有し、
ロック部材２２は、前記ロック部材係止部４に係止する係止部２２ａを備え、弾性部材によって係止部２２ａがロック部材係止部４に係止したロック位置に保持されている請求項１記載の落し錠。
【請求項３】
ロック部材２２は弾性部材でベース１の表面側に付勢されてロック位置に保持され、かつ弾性部材に抗してベース１の裏面側に移動することで非ロック位置となる請求項２記載の落し錠。
【発明の詳細な説明】
【０００１】
【発明の属する技術分野】
本発明は、門扉・窓・ドア等に用いる落し錠に関する。
【０００２】
【従来の技術】
特許文献１に落し錠が開示されている。
この落し錠は、ベースと、このベースに沿って移動する落し棒と、この落し棒をロック、ロック解除すると共に、移動するロック装置を備えている。
前述の特許文献１に開示されたロック装置は、落し棒に取付けたスライダをベースに沿って移動自在とし、このスライダに係止爪を備えた押しボタンを設け、この押しボタンを付勢して係止爪をベースの係止溝に係止することでロックし、押しボタンを押すことで係止爪が係止溝から離れてロック解除するものである。
【０００３】
【特許文献１】
特開平９−２３５９２８号公報
【０００４】
【発明が解決しようとする課題】
前述した従来の落し錠は、１つの指で、押しボタンを押してロック解除状態とし、その状態で他の指によってスライダを移動して落し棒を移動するので、その落し棒を移動する際には１つの指で押しボタンを押し続けながら他の指でスライダを移動するので、その操作がやりづらい。
【０００５】
本発明は、前述の課題に鑑みなされたものであり、その目的は、落し棒を移動する操作がやり易い落し錠を提供することである。
【０００６】
【課題を解決するための手段】
第１の発明は、ベース１と、このベース１に沿って移動する落し棒１０と、この落し棒１０をロック、ロック解除すると共に、移動するロック装置２０を備え、
このロック装置２０は、落し棒１０に取付けた連動部材２１と、この連動部材２１に、落し棒１０の移動方向とほぼ直角方向にロック位置と非ロック位置に移動自在に設けたロック部材２２と、このロック部材２２に連結した操作つまみ２３を有し、
この操作つまみ２３を落し棒１０の移動方向とほぼ直角方向に移動することでロック部材２２がロック位置又は非ロック位置となることを特徴とする落し錠。である。
【０００７】
第２の発明は、第１の発明においてベース１はロック部材係止部４を有し、
ロック部材２２は、前記ロック部材係止部４に係止する係止部２２ａを備え、弾性部材によって係止部２２ａがロック部材係止部４に係止したロック位置に保持されている落し錠である。
【０００８】
第３の発明は、第２の発明においてロック部材２２は弾性部材でベース１の表面側に付勢されてロック位置に保持され、かつ弾性部材に抗してベース１の裏面側に移動することで非ロック位置となる落し錠である。
【０００９】
【作  用】
第１の発明によれば、操作つまみ２３に指を掛けて移動してロック部材２２を非ロック位置に移動することで落し棒１０のロックが解除され、そのままの状態で操作つまみ２３を落し棒１０の移動方向に移動することで落し棒１０を移動することができる。
このように、操作つまみ２３に指を掛けたままの状態で、非ロック位置に向う方向及び落し棒１０の移動方向に移動することで落し棒１０を移動できるから、落し棒１０を移動する操作がやり易い。
【００１０】
第２の発明によれば、ロック部材２２の係止部２２ａはロック部材係止部４に係止してロック装置２０は常時ロック状態である。
よって、誤操作によって落し棒１０が自然落下したりすることがない。
【００１１】
また、操作つまみ２３から指をはなすことで弾性部材によってロック部材２２がロック位置となるので、ロック操作が容易であると共に、落し棒１０を移動している際に誤って操作つまみ２３から指が離れたり、すべったりした場合には落し棒１０が直ちにロックされて落下することがない。
【００１２】
第３の発明によれば、操作つまみ２３を表面側から裏面側に向けて移動、つまり押し込むことでロック部材２２が非ロック位置に移動し、その操作つまみ２３を押し込んだ状態でベース１に沿って移動することで落し棒１０を移動できるから、落し棒１０を移動する操作がより一層やり易い。
【００１３】
【発明の実施の形態】
図１に示すように、ベース１と、このベース１に沿って移動する落し棒１０と、この落し棒１０をロック、ロック解除すると共に、移動するロック装置２０で落し錠を形成している。
前記ロック装置２０は、図２に示すように、落し棒１０に取付けた連動部材２１と、この連動部材２１にロック位置と非ロック位置に移動自在に設けたロック部材２２と、このロック部材２２に連結した操作つまみ２３を備えている。
前記連動部材２１はベース１に対して移動する。好ましくはベース１に移動自在に支承される。
前記ロック部材２２と操作つまみ２３は連動部材２１に対してロック位置と非ロック位置とに亘って一体となって移動する。
【００１４】
前記操作つまみ２３は連動部材２１、ロック部材２２よりも表面側に位置し、落し錠を見た時にベース１と操作つまみ２３が見え、連動部材２１とロック部材２２は見えない。つまり、操作つまみ２３が連動部材２１とロック部材２２が見えないようにカバーする。
よって、ロック装置２０の意匠性が良い。
【００１５】
このようであるから、操作つまみ２３に指を掛けて非ロック位置に移動すると共に、操作つまみ２３を落し棒１０の移動方向に移動することで操作つまみ２３、ロック部材２２、連動部材２１が一体となって落し棒１０が移動する。
よって、落し棒１０を移動する操作がやり易い。
【００１６】
この実施の形態では、ロック部材２２と操作つまみ２３は落し棒１０の移動方向と直角方向に移動することでロック位置、非ロック位置となるが、これに限ることはなく直角方向に対して若干斜めの方向などに移動することでロック位置と非ロック位置となるようにしても良い。
つまり、ロック部材２２と操作つまみ２３は一体となって落し棒１０の移動方向とほぼ直角方向に移動することでロック位置と非ロック位置となるようにすれば良い。
【００１７】
次に各部材の具体形状を説明する。
ベース１は落し棒ガイド部２とロック装置ガイド部３とロック部材係止部４を有する。
例えば、前記ベース１は本体５と裏板６を備えている。前記本体５は矩形断面長尺形状で、その裏面５ａにおける長手方向両端部に突部７が一体的に設けてあり、裏面５ａと表面５ｂに貫通した開口部８を長手方向略全長に亘って有する。この開口部８は段差面８ａを有し、この開口部８が前述のロック装置ガイド部３である。
前記本体５は、その裏面５ａにおける開口部８の幅方向両側に歯部９を長手方向に間隔を置いて複数有し、その歯部９が長手方向に間隔を置いた係止部を形成し、前述のロック部材係止部４としてある。なお、本体５の裏面５ａにラックを取付け、そのラックの歯部をロック部材係止部４としても良い。
前記突部７には第１孔７ａと第２孔７ｂが形成され、その第１孔７ａに落し棒１０が摺動自在に挿通し、前述の落し棒ガイド部２を形成している。
前記第２孔７ｂにはカバー１１が摺動自在に挿通される。
前記裏板６は断面ほぼコ字形状で、本体５の裏面側に取付けられる。
例えば、両側縦板６ａを本体５の溝５ｃに嵌合すると共に、底板６ｂを突部７の突片７ｃに接して取付ける。
【００１８】
前記連動部材２１は開口部８（ロック装置ガイド部３）に沿って移動自在に支承される。
例えば、図３に示すように縦板２１ａと一対の横板２１ｂでほぼコ字形状で、その縦板２１ａの４隅に設けた突片２１ｃが開口部８の段差面８ａに接し、横板２１ｂが本体５の裏面５ａから突出する。
前記横板２１ｂに孔２１ｄが形成され、この孔２１ｄに落し棒１０が挿通し、ピン１２で固定される。ビスで固定しても良い。
【００１９】
前記ロック部材２２は、前記ロック部材係止部４に係止する係止部２２ａと前記操作つまみ２３に連結される連結部２２ｂを有する。
例えば、図３に示すように、幅方向両側部にラック歯２４を有するロック片２５と、基片２６と幅方向一対の側片２７で横向きコ字形状の連結部材２８を備え、側片２７に孔２７ａが形成してある。ロック片２５の幅方向中間部に連結部材２８の基片２６を固着具、例えばねじ２９で固着してロック部材２２とする。なお、固着具は加締ピンでも良い。また、ロック片２５に一対の横片２７を一体的に設けても良い。
前記ロック片２５のラック歯２４が前記本体５の歯部９に噛合、離脱し、そのラック歯２４が前述の係止部２２ａである。
前記連結部材２８が連動部材２１の一対の横板２１ｂ間に移動自在に嵌まり合い、その一対の側片２７が連動部材２１の縦板２１ａから側方に突出し、操作つまみ２３に連結され、その側片２７が前述の連結部２２ｂである。
【００２０】
前記操作つまみ２３は、その操作つまみ２３を落し棒１０の移動方向、その移動方向とほぼ直角方向に移動するための指掛け部２３ａを有する。この実施の形態では、移動方向両側部に切欠き部を形成して指掛け部２３ａとしてある。なお、移動方向中央部に凹部を形成したり、穴を形成して指掛け部２３ａとしても良いし、移動方向両側部と中央部に凹部を形成して指掛け部２３ａとしても良い。
【００２１】
前記操作つまみ２３は図３に示すように、連動部材２１の移動方向両側面、例えば一対の横片２１ｂに嵌合・離脱自在で、かつロック部材２２との連結部２３ｂを有する。例えば、操作つまみ２３の裏面における移動方向両側に一対の横片２３ｃ、移動方向と直角方向の両側に一対のフック２３ｄを有し、前記連結部材２８の側片２７の先端部が操作つまみ２３の裏面に当接し、その穴２７ａにフック２３ｄが係合して連結部材２８と操作つまみ２３が連結される。つまり、フック２３ｄが連結部２３ｂを形成している。
【００２２】
従って、連結部材２８を連動部材２１に嵌め込むことでロック部材２２（連結部材２８）と操作つまみ２３を連結でき、その連結作業が容易である。
【００２３】
前記ロック部材２２と操作つまみ２３は弾性部材、例えば円錐ばね３０でロック位置に保持されている。例えば、連動部材２１の縦片２１ａと操作つまみ２３の裏面との間に円錐ばね３０を設け、操作つまみ２３とともにロック部材２２をベース１の表面側に付勢保持し、ロック片２５のラック歯２４を本体５の歯部９に噛合してロック位置に保持している。
この時、操作つまみ２３の一対の横片２３ｃは連動部材２１の移動方向両側面と離隔するが、嵌合していても良い。
前記弾性部材は圧縮コイルばね、板ばね、ゴムなどでも良い。
【００２４】
次に、落し棒１０の移動操作について説明する。
図４と図５はロック部材２２と操作つまみ２３がロック位置で、ロック片２５のラック歯２４が本体５の歯部９に噛合してロック部材２２、操作つまみ２３、連動部材２１はベース１に対して移動できないから、落し棒１０は移動しない。
【００２５】
図４に示す状態から操作つまみ２３の指掛け部２３ａに２本の指を掛けてつまむようにし、その状態で操作つまみ２３を円錐ばね３０に抗して裏面側に向けて移動（つまり、押し込む）することで図６、図７に示すようにロック片２５のラック歯２４が本体５の歯部９と離脱し、ロック部材２２は非ロック位置となってロック解除状態となる。
この状態で２本の指を前述と直角方向（落し棒１０の移動方向）に移動することで操作つまみ２３、ロック部材２２、連動部材２１がベース１に沿って移動し、落し棒１０が移動する。
【００２６】
前記カバー１１は第２孔７ｂを挿通して連動部材２１に連結してあり、前述のように操作つまみ２３を移動して落し棒１０を移動することでカバー１１が摺動して開口部８を閉塞する。
前記落し錠は門扉等の縦框４０に取付けられ、ベース１の表面側から操作するようになっている。
【００２７】
次に、本発明の第２の実施の形態を図８〜図１２に基づいて説明する。
この実施の形態は、ロック部材２２の連結部２２ｂをロック片２５の幅方向中間部とし、操作つまみ２３の連結部２３ｂをロッドとしたことが第１の実施の形態と相違し、他の構成は同様である。
例えば、図８に示すようにロック片２５の幅方向中間部に孔２５ａを形成し、操作つまみ２３の裏面にロッド２３ｅを一体的に設け、このロッド２３ｅを図９、図１０に示すように円錐ばね３０、連動部材２１の縦片２１ａの孔２１ｅを挿通してロック片２５の幅方向中間部に当接し、ねじ２９を孔２５ａからロッド２３ｅに螺合して連結する。
【００２８】
この実施の形態においても第１の実施の形態と同様にロック部材２２、操作つまみ２３は円錐ばね３０によって図９、図１０に示すようにロック位置に保持され、落し棒１０は移動しない。
【００２９】
図１１と図１２に示すように、操作つまみ２３を円錐ばね３０に抗して移動（押す）することでロック部材２２が非ロック位置に移動すると共に、操作つまみ２３を落し棒１０の移動方向に移動することで落し棒１０を移動することができる。
【００３０】
ロック部材２２を弾性部材で裏面側に付勢してロック位置に保持し、操作つまみ２３を表面側に移動（引張る）することで非ロック位置に移動するようにしても良い。
【００３１】
【発明の効果】
請求項１に係る発明によれば、操作つまみ２３に指を掛けて移動してロック部材２２を非ロック位置に移動することで落し棒１０のロックが解除され、そのままの状態で操作つまみ２３を落し棒１０の移動方向に移動することで落し棒１０を移動することができる。
このように、操作つまみ２３に指を掛けたままの状態で、非ロック位置に向う方向及び落し棒１０の移動方向に移動することで落し棒１０を移動できるから、落し棒１０を移動する操作がやり易い。
【００３２】
請求項２に係る発明によれば、ロック部材２２の係止部２２ａはロック部材係止部４に係止してロック装置２０は常時ロック状態である。
よって、誤操作によって落し棒１０が自然落下したりすることがない。
【００３３】
また、操作つまみ２３から指をはなすことで弾性部材によってロック部材２２がロック位置となるので、ロック操作が容易であると共に、落し棒１０を移動している際に誤って操作つまみ２３から指が離れたり、すべったりした場合には落し棒１０が直ちにロックされて落下することがない。
【００３４】
請求項３に係る発明によれば、操作つまみ２３を表面側から裏面側に向けて移動、つまり押し込むことでロック部材２２が非ロック位置に移動し、その操作つまみ２３を押し込んだ状態でベース１に沿って移動することで落し棒１０を移動できるから、落し棒１０を移動する操作がより一層やり易い。
【図面の簡単な説明】
【図１】本発明の第１の実施の形態を示す落し錠の正面図である。
【図２】落し錠の分解斜視図である。
【図３】ロック装置の拡大分解斜視図である。
【図４】落し錠のロック装置部分のロック状態の縦断面図である。
【図５】図４のＡ−Ａ断面図である。
【図６】落し錠のロック装置部分のロック解除状態の縦断面図である。
【図７】図６のＢ−Ｂ断面図である。
【図８】本発明の第２の実施の形態を示す落し錠の分解斜視図である。
【図９】落し錠のロック装置部分のロック状態の縦断面図である。
【図１０】図９のＣ−Ｃ断面図である。
【図１１】落し錠のロック装置部分のロック解除状態の縦断面図である。
【図１２】図１１のＤ−Ｄ断面図である。
【符号の説明】
１…ベース、２…落し棒ガイド部、３…ロック装置ガイド部、４…ロック部材係止部、８…開口部、９…歯部、１０…落し棒、２０…ロック装置、２１…連動部材、２２…ロック部材、２２ａ…係止部、２２ｂ…連結部、２３…操作つまみ、２３ｂ…連結部、３０…円錐ばね（弾性部材）。
【図１】
2004190448.tif 000003
【図２】
2004190448.tif 000004
【図３】
2004190448.tif 000005
【図４】
2004190448.tif 000006
【図５】
2004190448.tif 000007
【図６】
2004190448.tif 000008
【図７】
2004190448.tif 000009
【図８】
2004190448.tif 000010
【図９】
2004190448.tif 000011
【図１０】
2004190448.tif 000012
【図１１】
2004190448.tif 000013
【図１２】
2004190448.tif 000014